(57)【要約】【課題】クセがつくことを抑制した状態で、塗料の種類ごとに分けて刷毛を保管できる刷毛保管容器を提供する。【解決手段】刷毛保管容器１０は、それぞれ溶剤が入る複数の内容器２２と、複数の内容器２２が収まる外容器２０と、外容器２０に設けられ、複数の内容器２２に入った溶剤にそれぞれ浸かるように複数の刷毛ＢＲを吊り下げる吊り下げ具２４と、外容器２０の内部を密封するための蓋３０と、を備える。吊り下げ具２４は、一方向に延びる棒状部材２４４と、棒状部材２４４に取り付けられ、刷毛ＢＲが掛けられるフック２４６と、を有する。【選択図】図１
0003214555.tif 000002
【実用新案登録請求の範囲】
【請求項１】
それぞれ溶剤が入る複数の内容器と、
前記複数の内容器が収まる外容器と、
前記外容器に設けられ、前記複数の内容器に入った溶剤にそれぞれ浸かるように複数の刷毛を吊り下げる吊り下げ具と、
前記外容器の内部を密封するための蓋と、を備えた刷毛保管容器。
【請求項２】
請求項１記載の刷毛保管容器において、
前記吊り下げ具が、一方向に延びる棒状部材と、
前記棒状部材に取り付けられ、前記刷毛が掛けられるフックと、を有する刷毛保管容器。
【請求項３】
請求項２記載の刷毛保管容器において、
前記吊り下げ具が、前記外容器の対向する内面にそれぞれ設けられ、前記棒状部材を保持する一組の支持部材を更に有し、
前記各支持部材の上側端面に切り欠きが形成され、前記棒状部材の両端部が、それぞれ該切り欠きに嵌まる刷毛保管容器。
【考案の詳細な説明】
【技術分野】
【０００１】
本考案は、刷毛保管容器に関する。
【背景技術】
【０００２】
特許文献１には、刷毛塗り塗料において使用される刷毛を保管するのに好適な刷毛保管用具が記載されている。この刷毛保管用具は、内部下部に溶剤貯めを有する密閉可能な容器の内壁に、刷毛吊下げ用棒状体の端部受け手段が少なくとも１対設けられており、各対の受け手段により棒状体の両端が受け止められることを特徴としている。
【先行技術文献】
【特許文献】
【０００３】
【特許文献１】実公平３−１８２３７号公報
【考案の概要】
【考案が解決しようとする課題】
【０００４】
本考案は、クセがつくことを抑制した状態で、塗料の種類ごとに分けて刷毛を保管できる刷毛保管容器を提供することを目的とする。
【課題を解決するための手段】
【０００５】
前記目的に沿う本考案に係る刷毛保管容器は、それぞれ溶剤が入る複数の内容器と、
前記複数の内容器が収まる外容器と、
前記外容器に設けられ、前記複数の内容器に入った溶剤にそれぞれ浸かるように複数の刷毛を吊り下げる吊り下げ具と、
前記外容器の内部を密封するための蓋と、を備える。
【０００６】
本考案に係る刷毛保管容器において、
前記吊り下げ具が、一方向に延びる棒状部材と、
前記棒状部材に取り付けられ、前記刷毛が掛けられるフックと、を有することが好ましい。
【０００７】
本考案に係る刷毛保管容器において、
前記吊り下げ具が、前記外容器の対向する内面にそれぞれ設けられ、前記棒状部材を保持する一組の支持部材を更に有し、
前記各支持部材の上側端面に切り欠きが形成され、前記棒状部材の両端部が、それぞれ該切り欠きに嵌まることが好ましい。
【考案の効果】
【０００８】
本考案によれば、クセがつくことを抑制した状態で、塗料の種類ごとに分けて刷毛を保管できる刷毛保管容器を提供できる。
【図面の簡単な説明】
【０００９】
【図１】本考案の一実施の形態に係る刷毛保管容器の説明図である。
【考案を実施するための形態】
【００１０】
続いて、添付した図面を参照しつつ、本考案を具体化した実施の形態につき説明し、本考案の理解に供する。なお、図において、説明に関連しない部分は図示を省略する場合がある。
【００１１】
本考案の一実施の形態に係る刷毛保管容器１０は、図１に示すように、塗料を塗布するための刷毛ＢＲを内部に吊り下げて保管できる。
刷毛保管容器１０は、外容器２０、複数の内容器２２、吊下げ具２４、及び蓋３０を備えている。
【００１２】
外容器２０は、外形が直方体状であり、上側が開口した容器である。外容器２０は例えば金属製である。
【００１３】
各内容器２２は、例えば樹脂製の容器であり、外容器２０の内部に例えば４つ収められる。各内容器２２の内部には、塗料が溶けるシンナー等の溶剤が貯められる。
各内容器２２には、外容器２０から取り出しやすいように、上方に延びる取手２２２が設けられている。
【００１４】
吊下げ具２４は、外容器２０の内部に設けられ、複数の刷毛ＢＲを吊り下げることができる。吊り下げられた複数の刷毛ＢＲは、それぞれ内容器２２に入った溶剤に浸かる。
吊下げ具２４は、一組の支持部材２４２、棒状部材２４４、及びフック２４６を有している。
【００１５】
一組の支持部材２４２は、それぞれ実質的に水平方向に延びる板状の部材である。各支持部材２４２は外容器２０の対向する内面に固定されいる。各支持部材２４２の上側端面には切り欠き２４３が形成されている。
棒状部材２４４は、例えば丸棒状の部材である。棒状部材２４４の両端部は、それぞれ対応する切り欠き２４３に嵌り、支持部材２４２に支持されている。
フック２４６は、棒状部材２４４に取り付けられ、刷毛ＢＲが掛けられる。フック２４６は、棒状部材２４４が支持部材２４２に支持されている状態では、棒状部材２４４から外れないように棒状部材２４４に取り付けられている。また、フック２４６は、棒状部材２４４の中心軸回りに回転できるとともに、棒状部材２４４が延びる方向に沿って移動できるように取り付けられている。
【００１６】
蓋３０は、外容器２０の開口部を覆うことができる。蓋３０には、外容器２０に固定するための締結具（不図示）が設けられている。蓋３０と外容器２０との間にはパッキン（不図示）が設けられ、蓋３０を閉めることによって外容器２０の内部が密封される。
【００１７】
次に、刷毛保管容器１０の使用方法について説明する。
まず、外容器２０から蓋３０を取り外す。
次に、各内容器２２に溶剤を入れ、全ての内容器２２を外容器２０に収める。
次に、塗料が付着した刷毛ＢＲをフック２４６に引っ掛ける。その際、棒状部材２４４を外容器２０に設けられた支持部材２４２から取り外して刷毛ＢＲをフック２４６に引っ掛けてもよい。フック２４６に引っ掛けられた刷毛ＢＲの先端部分は、内容器２２に入った溶剤に浸かる。
なお、フック２４６を棒状部材２４４が延びる方向に移動させ、塗料の種類ごとに刷毛ＢＲが浸かる内容器２２を選択してもよい。
【００１８】
最後に、蓋３０を閉めて外容器２０を密閉する。蓋３０を閉めることによって、万一、刷毛保管容器１０が転倒した場合であっても、内容器２２の内部の溶剤が外に流出してしまう可能性が低減される。
【００１９】
このように、刷毛保管容器１０によれば、刷毛ＢＲはフック２４６に引っ掛けられてぶら下がった状態となっており、先端部分には外部から大きな力が加えられないので、刷毛ＢＲ（毛の部分）にクセがつくことが抑制される。
また、外容器２０に複数の内容器２２が収容されているので、塗料の種類ごとに分けて刷毛ＢＲを保管できる。
【００２０】
以上、本考案の実施の形態を説明したが、本考案は、上記した形態に限定されるものでなく、要旨を逸脱しない条件の変更等は全て本考案の適用範囲である。
【符号の説明】
【００２１】
１０  刷毛保管容器
２０  外容器
２２  内容器
２４  吊下げ具
３０  蓋
２２２  取手
２４２  支持部材
２４３  切り欠き
２４４  棒状部材
２４６  フック
ＢＲ  刷毛
【図１】
0003214555.tif 000003